(57)【特許請求の範囲】
【請求項１】
エンジン２の上側に設けた燃料タンク５０に燃料を供給するための給油口５２を設け、油圧昇降シリンダ１０のシリンダロッド端に設けた左右に延びる横杆１２の左右端部からロッド１４，１５を介して連結される左右それぞれの走行チェ−ンケ−ス９，９を設け、該左右の走行チェ−ンケ−ス９，９が回動して左右一対の走行車輪４，４を上下させる構成とし、前記走行車輪４，４の車軸９ａ，９ａより前側を接地させて機体を前傾姿勢で安定させることができる歩行型の農作業機１において、前記ロッド１４，１５のうち左側のロッド１５の中途部に左側の走行車輪４を上下させる水平用油圧シリンダ１６を設けると共に、エンジン２の左側方に該エンジン２の排気を行うマフラ−２ａを設け、給油口５２の外へこぼれた燃料を受ける受け部５５を前記給油口５２の外周にわたって設け、前記受け部５５に受けられた燃料をエンジン２にかからないように排出する排出口５５ｃを前記給油口５２に対して前記受け部５５の前側部分に設け、前記排出口５５ｃからエンジン２の右側方へ燃料を案内して排出する排出パイプ５６を設けていることを特徴とする歩行型の農作業機。
【発明の詳細な説明】
【０００１】
【発明の属する技術分野】
この発明は、歩行型田植機等の歩行型の農作業機における燃料タンクの給油口に関するものである。
【０００２】
【従来の技術】
従来、歩行型の農作業機に限らず、本機の原動力を発生するエンジンの燃料を貯留する燃料タンクの給油口が設けられたものがある。そして、前記給油口へ供給する燃料が該給油口の外へこぼれて前記エンジン等にかかるのを防止するため、給油口の外周にわたって受け部が設けられたものがある。また、この受け部に受けられた燃料が速やかに機外へ排出されるように、給油口の外へこぼれた燃料を前記受け部から機外へ案内する排出パイプが設けられたものがある。
【０００３】
また、歩行型の農作業機において、走行車輪の車軸より前側を接地させて、オペレ−タが操縦ハンドルを把持しない状態で機体を前傾姿勢で安定させることができるものがある。
【０００４】
【発明が解決しようとする課題】
ところが、上記歩行型の農作業機においては、操縦ハンドルをオペレータが把持しない状態で機体を前下がりに傾斜させて安定させると、燃料タンクの給油口の外周にわたって設けられた受け部も同様に前下がりに傾斜することとなり、この状態で前記給油口へ燃料を供給するときに該給油口の外へこぼれた燃料が前記受け部の前側部分に偏って溜まり、この前側部分に偏って溜まった燃料がスムーズに排出されないと、前記前側部分から燃料があふれ出てエンジン等にかかることがある。
【０００５】
【課題を解決するための手段】
この発明は、上記課題を解決すべく次の技術的手段を講じた。
すなわち、エンジン２の上側に設けた燃料タンク５０に燃料を供給するための給油口５２を設け、油圧昇降シリンダ１０のシリンダロッド端に設けた左右に延びる横杆１２の左右端部からロッド１４，１５を介して連結される左右それぞれの走行チェ−ンケ−ス９，９を設け、該左右の走行チェ−ンケ−ス９，９が回動して左右一対の走行車輪４，４を上下させる構成とし、前記走行車輪４，４の車軸９ａ，９ａより前側を接地させて機体を前傾姿勢で安定させることができる歩行型の農作業機１において、前記ロッド１４，１５のうち左側のロッド１５の中途部に左側の走行車輪４を上下させる水平用油圧シリンダ１６を設けると共に、エンジン２の左側方に該エンジン２の排気を行うマフラ−２ａを設け、給油口５２の外へこぼれた燃料を受ける受け部５５を前記給油口５２の外周にわたって設け、前記受け部５５に受けられた燃料をエンジン２にかからないように排出する排出口５５ｃを前記給油口５２に対して前記受け部５５の前側部分に設け、前記排出口５５ｃからエンジン２の右側方へ燃料を案内して排出する排出パイプ５６を設けていることを特徴とする歩行型の農作業機とした。
【０００６】
【作用】
本発明の歩行型の農作業機は、操縦ハンドルをオペレータが把持した状態で歩行しながらエンジンからの動力により機体を走行させて圃場に農作業を施していく。また、油圧昇降シリンダにより左右一対の走行車輪を上下させると共に、水平用油圧シリンダにより左側の走行車輪を上下させる。そして、エンジンの燃料を貯留する燃料タンクの燃料の残量が少なくなると、前記燃料タンクの給油口へ燃料を供給するようになっている。このとき、誤って前記給油口の外へこぼれた燃料は、受け部によって受けられる。また、受け部に受けられた燃料を排出する排出口が前記給油口に対して前記受け部の前側部分に設けられているので、前記操縦ハンドルをオペレータが把持しない状態で走行車輪の車軸より前側を接地させて機体を前下がりに傾斜させることにより前記受け部が前下がりの傾斜姿勢となって燃料が受け部の前側部分に偏って溜まっても、受け部に受けられた燃料が前記排出口、排出パイプを介してエンジンの右側方へスムーズに排出される。
【０００７】
【発明の効果】
従って、機体の前部を接地させ機体を前下がりに傾斜させることにより上記受け部が前下がりの傾斜姿勢となっても、受け部に受けられた燃料を排出する排出口が給油口に対して受け部の前側部分に設けられているので、受け部に受けられた燃料がスムーズに排出されることとなり、燃料が受け部の前側部分に偏って溜まって該前側部分から燃料があふれ出てエンジン等にかかるのを防止できる。また、水平用油圧シリンダにより左側の走行車輪を上下させる構成で且つエンジンの左側方にマフラ−を設けた構成において、燃料がエンジンの右側方へ排出されるので、高熱を帯びたエンジンのマフラ−に燃料がかかることによる火災の発生を抑制することができる。
【０００８】
【発明の実施の形態】
この発明の実施の一形態を図面に基づき説明する。
図１は、歩行型の農作業機の一例として歩行型の田植機１を示すものであり、この歩行型の田植機１は主として前部にエンジン２及び主伝動ケ−ス３と中央部に走行車輪４，４と後部に２条植えの苗植付部５及び操縦ハンドル６と下部に圃場面を滑走して整地する整地フロ−ト７とを備えて構成される。
【０００９】
前記主伝動ケ−ス３の前部にエンジン載置台８が固着され、このエンジン載置台８に前記エンジン２が載置されて取り付けられた構成となっている。尚、エンジン２の左側方には、該エンジン２の排気を行うマフラ−２ａが設けられている。左右方向に設けられた前記エンジン２の出力軸が前記主伝動ケ−ス内に突入して、エンジン２の動力が主伝動ケ−ス内に入力されるようになっている。主伝動ケ−ス３の左右端には該主伝動ケ−ス３に対して回動可能な走行チェ−ンケ−ス９，９が左右それぞれ設けられ、主伝動ケ−ス内の動力が走行チェ−ンケ−ス内に伝動可能な構成となっている。前記走行チェ−ンケ−ス９，９の端部には出力軸９ａ，９ａが設けられ、この出力軸９ａ，９ａに走行車輪４，４がそれぞれ取り付けられ、この左右一対の走行車輪４，４の駆動により機体が走行するようになっている。
【００１０】
また、主伝動ケ−ス３の後部で左右方向の中央には油圧昇降シリンダ１０が設けられている。この油圧昇降シリンダ１０は、主伝動ケース３に固着された油圧切替バルブ部１１に固着して設けられ、前記油圧切替バルブ部１１に備えられた昇降操作バルブ（図示せず）が操作されることにより作動するようになっている。前記油圧昇降シリンダ１０のシリンダロッド端には、左右に延びる横杆１２が上下方向の枢支軸１３により枢着されている。この横杆１２の左右端部にそれぞれロッド１４，１５が枢着され該ロッド１４，１５の他端がそれぞれの走行チェ−ンケ−ス９，９に枢着されて、前記横杆１２と走行チェ−ンケ−ス９，９とが連結された構成となっている。従って、前記油圧昇降シリンダ１０の伸縮により前記横杆１２、前記ロッド１４，１５を介して走行チェ−ンケ−ス９，９の入力軸９ｂ，９ｂ回りに走行チェ−ンケ−ス９，９が回動され、該走行チェ−ンケ−ス９，９の回動により走行車輪４，４が上下して機体が昇降する構成となっている。
【００１１】
また、左側の前記ロッド１５が伸縮可能となるように該ロッド１５の中途部に水平用油圧シリンダ１６が設けられており、該水平用油圧シリンダ１６の伸縮により右側の走行車輪４の上下位置に対して左側の走行車輪４を上下させて、圃場の耕盤の凹凸に関係なく機体を左右水平に維持できるようになっている。尚、機体には振り子式の左右傾斜センサ１７が設けられて、この左右傾斜センサ１７の検出により前記水平用油圧シリンダ１６を作動させ機体が左右水平に維持される構成となっている。
【００１２】
前記２条植えの苗植付部５は、苗載置台２１と植付伝動ケ−ス２２と各条の苗植付装置２３，２３とを備えて構成され、前記苗載置台上のマット苗を各条の前記苗植付装置２３，２３が一株分づつ掻き取って圃場へ植え付けるようになっている。前記主伝動ケ−ス３からの動力が植付伝動軸２４を介して前記植付伝動ケ−ス内へ入力され、該植付伝動ケ−ス内の動力により該植付伝動ケ−ス２２に取り付けられた前記苗植付装置２３，２３が作動する。前記苗載置台２１は、上部を苗載置台支持ロ−ラ２５，２５、下部を機体に固着された側面視Ｌ字型の左右移動ガイド板２６により左右移動可能に支持されている。尚、苗載置台２１の裏面側には案内レ−ル２７が固着して設けられ、この案内レ−ル２７と前記苗載置台支持ロ−ラ２５，２５とが係合した構成となっている。苗植付部５は、苗載置台２１の両側に取り付けた取付具２８，２８が取り付けられた苗載置台左右移動棒２９を左右移動させて苗載置台２１を左右移動させ、マット状の苗を苗植付装置２３，２３の苗分離爪２３ａ，２３ａにより一株づつ掻き取る構成となっている。前記苗載置台左右移動棒２９は、植付伝動ケ−ス２２の両側から突出し、植付伝動ケ−ス内の動力により左右移動する構成となっている。
【００１３】
尚、前記左右移動ガイド板２６には、苗植付装置２３，２３の苗掻き取り口２６ａ，２６ａが設けられている。この苗掻き取り口２６ａ，２６ａには、樹脂性のガイド３０，３０が備えられている。前記樹脂性のガイド３０，３０は、苗植付装置２３，２３による苗の掻き取りにおけるマット苗の切断面を形成すると共に苗植付装置２３，２３による圃場の苗植付位置への苗の移送を案内するべく、前記苗掻き取り口２６ａ，２６ａの外周部を囲むように一体的に平面視コの字状に構成されている。前記樹脂性のガイド３０，３０により、苗植付装置２３，２３による苗の掻き取りが苗を傷めることなくスムーズに行えるようになっている。また、苗掻き取り口２６ａ，２６ａの後側部分も平面視コの字状となっている樹脂性のガイド３０，３０により構成されているので、万一苗植付装置２３，２３の苗分離爪２３ａ，２３ａが樹脂性のガイド３０，３０に噛み込んでも前記樹脂性のガイド３０，３０が前記苗分離爪２３ａ，２３ａにより削れるようにして苗植付装置２３，２３がメカロックを起こさないように構成している。
【００１４】
また、前記苗載置台２１は、左右移動終端においてマット状の苗を植付伝動ケ−ス２２からの動力により作動する各条の苗送りベルト３１…により苗載置台２１に沿って苗植付装置側に順次移送する公知の構成である。前記苗送りベルト３１…は、下部の駆動ローラ３２…と上部の遊転ローラ３３…とに巻き掛けられている。前記遊転ローラ３３…は、該ローラ３３…の支持軸３４に遊転するように設けられている。前記支持軸３４は、左右端部及び左右中央部がそれぞれ苗載置台２１に固着された軸受部材３５，３５，３５の２枚の軸受プレート３５ａ…の側面視Ｕ字状３５ｂ…の溝にはまり込み、前記軸受部材３５，３５，３５に取り付けられたスプリング３６，３６，３６が前記２枚の軸受プレート３５ａ…の間となる支持軸３４の穴３４ａ，３４ａ，３４ａに掛けられることにより上方に付勢されている。従って、前記スプリング３６，３６，３６により、苗送りベルト３１…にテンション力が与えられている。
【００１５】
苗載置台２１は、上部の各条毎の延長苗載台３７，３７と下部の固定苗載台３８とで構成されている。この延長苗載台３７，３７が苗載置台支持ロ−ラ２５，２５の案内レ−ル２７と固定苗載台３８の裏面との間を上下方向に摺動することにより、苗載置台２１の上下長さが拡縮可能に構成されている。前記延長苗載台３７，３７は、下部に左右方向に所定間隔毎に設けられた複数の空間部３７ａ…が設けられ、上部が左右方向に長い長孔部３７ｂ，３７ｂが２個設けられた構成となっている。従って、作業者がつかみやすいように左右方向に長くなった延長苗載台３７，３７の前記長孔部３７ｂ，３７ｂに手を掛けて延長苗載台３７，３７を固定苗載台３８から引き出したり固定苗載台３８に押し込んだりすることにより、苗載置台２１の上下長さを変更するようになっている。これにより、通常植付作業時は、延長苗載台３７，３７を固定苗載台３８から引き出して苗載置台２１の上下長さを長くして、該苗載置台２１により多くのマット苗が載置できるようにする。一方、苗植付作業を行わない路上走行時や倉庫等への機体の格納時は、オペレ−タによる操縦ハンドル６の把持や操作パネル３９に設けられた操作レバ−４０，４１の操作に邪魔にならないようにしたり機体の上部に突出する苗載置台２１の突出量を縮小させて機体の上下方向のスペ−スを小さくするべく、延長苗載台３７，３７を固定苗載台３８に押し込んで苗載置台２１の上下長さを短くする。このとき、固定苗載台３８が側面視で前側に凸形状となった若干の曲面となっているのに対し延長苗載台３７，３７は側面視でストレ−ト形状となっており、前記固定苗載台３８に対する前記延長苗載台３７，３７の摺動において若干の摺動抵抗を生じさせて、機体の振動等によって前記固定苗載台３８に対する前記延長苗載台３７，３７の位置が変わらないようにしている。尚、延長苗載台３７，３７の下部には複数個の摺動ストッパ３７ｃ…が設けられ、この摺動ストッパ３７ｃ…が固定苗載台３８に固着された苗載置台支持ロ−ラ２５，２５の案内レ−ル２７と当接して作業者が延長苗載台３７，３７を引き出すことにより該延長苗載台３７，３７が固定苗載台３８から分離されないようにしている。
【００１６】
尚、固定苗載台３８は、左右方向の所定間隔毎に凹凸がもうけられ、苗の載置側における凹部３８ａ…のうちの一部分にマット苗と固定苗載台３８との摺動抵抗を少なくするためのキ−ル３８ｂ…が設けられている。また、前記固定苗載台３８の苗の載置側とは反対側における凹部３８ｃ…に、前記延長苗載台３７，３７の下部が挿入された構成となっている。
【００１７】
また、植付伝動ケ−ス２２は、主伝動ケ−ス３の後部に固着された主フレ−ム４２の上側に固着した構成となっている。また、前記苗載置台支持ロ−ラ２５，２５は、主フレ−ム４２に取り付けられている。
整地フロート７は、機体の前端部から後部の苗載置台２１の下方にわたって前後方向に長い構成となっていると共に、左右の走行チェーンケース９，９の間に位置するように設けられている。この整地フロート７は、該フロート７の後部に設けられた左右方向の回動軸４３回りに回動自在に設けられ、圃場面に追従して前記左右方向の回動軸４３回りに上下方向の傾斜しながら圃場面を滑走するようになっている。前記回動軸４３の前方には昇降操作ロッド４４が連結されており、整地フロート７の上下方向の傾斜変化により該昇降操作ロッド４４が操作されて油圧切替バルブ部１１の昇降操作バルブ（図示せず）が操作され機体が昇降し、機体が圃場面に対して所定の高さに維持されるように構成されている。整地フロート７の前部とエンジン載置台８との間には連結リンク機構４５が設けられ、この連結リンク機構４５により前後に長い前記整地フロート７の上下方向の回動範囲を規制するようになっている。また、植付深さ調節レバー４６により、前記左右方向の回動軸４３の機体に対する上下位置を調節して植付深さを調節するようになっている。
【００１８】
また、前記整地フロート７は、走行チェーンケース９，９の側方となる部分で左右幅が最大となっており、そこから前方に行くにつれて左右幅が縮小された形状となっている。よって、整地フロート７は、該フロート７の前端から走行チェーンケース９，９の側方部分までの間で左右幅が徐々に拡大されているので、側方への泥押しが抑制された構成となっている。また、前記整地フロート７の前部の外縁は、他の部分より高くなった壁部７ａに構成され、該フロート上に圃場の土壌が侵入して載るのを防止している。そして、機体の前部に構成されたエンジン２及び主伝動ケース３が整地フロート７の上動で該フロ−ト７の前記壁部７ａと側面視で重複するように下部の左右幅を幅狭にして設けられ、前記壁部７ａを構成しながら整地フロ−ト７の上動範囲を大きくとった構成としている。
【００１９】
苗載置台２１の後方には、操縦ハンドル６が設けられている。この操縦ハンドル６は、前記主フレ−ム４２に左右方向の回動軸４７回りに回動可能に取り付けられている。該ハンドル６の把持部６ａ，６ａの近傍には、左右それぞれの走行車輪４，４の駆動の入切が可能なサイドクラッチレバ−４８，４８と、苗植付部５のみの駆動の入切操作が可能な植付レバ−４９とが設けられている。通常植付作業時には操縦ハンドル６を前記把持部６ａ，６ａが後方に向くように固定するようになっているが、機体の格納時等には前記回動軸４７回りに操縦ハンドル６を回動させ前記把持部６ａ，６ａが下方へ向くように固定されて機体の前後長を縮小するようになっている。
【００２０】
前記操縦ハンドル６の前側で苗載置台２１の後側には、操作パネル３９が設けられている。この操作パネル３９には、走行車輪４，４及び苗植付部５の駆動を共に入切可能な主クラッチレバ−４０と、油圧昇降シリンダ１０による機体の昇降操作が可能な昇降レバ−４１とが備えられている。
ところで、エンジン２および主伝動ケ−ス３の上側には、エンジン２の燃料を貯留する燃料タンク５０が設けられている。この燃料タンク５０の下部に取り付けられた燃料供給ホ−ス５１を介して前記燃料タンク内の燃料がエンジン２に供給される。尚、前記エンジン２はガソリンエンジンであり、よって、前記燃料タンク５０にはガソリンが貯留される。燃料タンク５０へのガソリンの供給は、作業者により該燃料タンク５０の上部に設けられた燃料給油口５２ヘガソリンが供給されて行われる。前記燃料給油口５２は燃料タンク５０の上方に延びた筒部５０ａの上端に構成され、前記筒部５０ａの上端に設けられたねじ込み式の燃料キャップ５３を前記筒部５０ａから取り外して前記燃料給油口５２を開放状態にして燃料を供給するようになっている。尚、燃料タンク５０、エンジン２及び主伝動ケース３の上方を覆うように設けられたボンネットカバー５４の燃料給油口５２が位置する部分には穴５４ａが設けられ、前記ボンネットカバー５４の上方から作業者により燃料給油口５２へ燃料を供給できるようになっている。
【００２１】
前記筒部５０ａには、平面視で燃料給油口５２の外周を囲むように燃料受け部５５が設けられている。この燃料受け部５５は、燃料給油口５２より低い位置に設けられ、前記筒部５０ａの中途部に密着するように弾性体であるゴムで構成されている。前記燃料受け部５５により、燃料給油口５２へ燃料を供給するときに誤って燃料給油口５２の外にこぼれた燃料を受けるようになっている。燃料受け部５５の外周部は内側すなわち筒部側へ向かって下っていくようにすり鉢状の傾斜面５５ａとなっており、燃料受け部５５の中央部すなわち筒部の近傍は平坦面５５ｂとなっている。平面視で燃料給油口５２の前側となる燃料受け部５５の前記外周部には、機体の前方に向かって前記燃料受け部５５に受けられた燃料を排出する燃料受け部排出口５５ｃが設けられている。この燃料受け部排出口５５ｃには、ゴム製の排出パイプ５６が外嵌されている。前記排出パイプ５６は、前記燃料受け部排出口５５ｃからエンジン２の右側方へ向かって設けられ、燃料受け部５５に受けられた燃料を案内して排出するようになっている。
【００２２】
従って、この歩行型の田植機１は、エンジン２からの動力が主伝動ケース３を介して左右の走行チェーンケース９，９内及び植付伝動ケース２２内へ伝達されて左右の走行車輪４，４及び苗植付部５を駆動させ、機体を走行させながら圃場に苗を植え付けていく。この歩行型の田植機１は、オペレータが機体の後部に設けられた操縦ハンドル６を把持した状態で歩行して作業を行うようになっている。前記エンジン２への燃料すなわちガソリンの供給は、エンジン２の上側に設けられた燃料タンク５０から燃料供給ホ−ス５１を介して行われる。そして、前記燃料タンク５０への燃料の供給は燃料給油口５２へ供給して行われるが、誤って燃料給油口５２の外へこぼれた燃料は燃料受け部５５に受けられ、前記燃料受け部５５に受けられた燃料は燃料受け部排出口５５ｃ、排出パイプ５６を介して排出される。前記排出パイプ５６の一端が前記給油口５２に対して前記燃料受け部５５の前側部分に取り付けられているので、前記操縦ハンドル６をオペレータが把持しない状態で走行車輪４，４の車軸９ａ，９ａより前側となる整地フロ−ト７の前部を接地させ機体を前下がりに傾斜させて前記燃料受け部５５が前下がりの傾斜姿勢となって燃料が燃料受け部５５の前側部分に偏って溜まっても、燃料受け部５５に受けられた燃料が前記燃料受け部排出口５５ｃ、前記排出パイプ５６を介してスムーズに排出される。
【００２３】
以上により、前記整地フロ−ト７の前部を接地させて機体を前下がりに傾斜させそれに伴って燃料受け部５５が前下がりの傾斜姿勢となっても、燃料受け部排出口５５ｃが燃料給油口５２に対して燃料受け部５５の前側部分に設けられているので、燃料受け部５５に受けられた燃料がスムーズに排出されることとなり、燃料が燃料受け部５５の前側部分に偏って溜まって該前側部分から燃料があふれ出て燃料タンク５０の上面をつたってエンジン等にかかるのを防止できる。また、高熱を帯びたエンジン２のマフラー２ａに燃料受け部５５からあふれ出たガソリンがかかることによる火災の発生を抑制することができる。
【図面の簡単な説明】
【図１】歩行型の田植機の側面図
【図２】歩行型の田植機の一部省略した平面図
【図３】燃料タンクを示す側面図
【図４】燃料タンクを示す平面図
【図５】苗載置台の正面図
【図６】苗載置台の上部を示す背面図
【図７】苗載置台の下部を示す背面図
【図８】苗載置台の上部を示す側面図
【図９】苗載置台の下部を示す側面図
【図１０】遊転ローラの支持軸の支持部材の側面図
【図１１】遊転ローラの支持軸の支持部材の背面図
【符号の説明】
１…歩行型の田植機（歩行型の農作業機）、２…エンジン、２ａ…マフラ−、４，４…走行車輪、９，９…走行チェ−ンケ−ス、９ａ，９ａ…走行車輪の車軸、１０…油圧昇降シリンダ、１２…横杆、１４，１５…ロッド、１６…水平用油圧シリンダ、５０…燃料タンク、５２…燃料給油口、５５…燃料受け部、５５ｃ…燃料受け部排出口、５６…排出パイプ
【図１】
0003641900.tif 000002
【図２】
0003641900.tif 000003
【図３】
0003641900.tif 000004
【図４】
0003641900.tif 000005
【図５】
0003641900.tif 000006
【図６】
0003641900.tif 000007
【図７】
0003641900.tif 000008
【図８】
0003641900.tif 000009
【図９】
0003641900.tif 000010
【図１０】
0003641900.tif 000011
【図１１】
0003641900.tif 000012